(57)【要約】【課題】遊技機島に電源供給するための島電源の供給電源異常を検出して迅速に通知可能な島電源異常検出システムを提供すること。【解決手段】、電圧検出部１２０は島電源１００からの供給電源の電圧値を検出し、制御部１３０はこの電圧検出部１２０で検出された電圧値が異常値であるか否かを判定し、この判定結果に応じて異常通知部１４０を起動して異常通知を行う。したがって、例えば島電源１００の供給電源の電圧が定格値から極端にずれた場合等は異常と判定し、これを迅速に通知することが可能になる。　また、異常通知部１４０は遊技機島１側面の外部から見える位置に設けられているので、遊技者中の遊技者には視認しにくくホールスタッフ等に視認しやすく状態で異常通知が行える。【選択図】　図２
2004065495.tif 000002
【特許請求の範囲】
【請求項１】
複数の遊技機が並設された遊技機島へ電源供給を行うための島電源と、この島電源からの供給電源を前記遊技機島を構成する個別の遊技機に分配する電源分配器と、島電源からの供給電源の電圧値を検出する電圧検出手段と、
この電圧検出手段で検出された電圧値が異常値であるか否かを判定する異常判定手段と、この判定結果に応じて異常通知を行う異常通知手段と、を有する島電源異常検出システム。
【請求項２】
請求項１に記載の島電源異常検出システムにおいて、
前記電源分配器には、
１台の遊技機から成る単島へ電源供給可能な供給線が設けられていることを特徴とする島電源異常検出システム。
【請求項３】
請求項１および２の内のいずれか一項に記載の島電源異常検出システムにおいて、
前記異常通知手段は、
前記遊技機島側面の外部から見える位置に設けられたことを特徴とする島電源異常検出システム。
【発明の詳細な説明】
【０００１】
【発明の属する技術分野】
本発明は、複数の遊技機が配設された遊技機島へ電源供給を行うための島電源の電源供給異常を検出可能なシステムに関する。
【０００２】
【従来の技術】
例えば、特開平７−１１６３３４号公報には、パチンコ遊技場における複数のパチンコ機が並設されて成る遊技機島の各パチンコ機に電源を供給する配電装置が開示されている。この配電装置は、商用交流電源を周波数変換器を通して元の周波数の８〜２０倍の周波数に変換し、この周波数変換後の高周波交流電源を書くパチンコ機に配電するようにしたものである。
【発明が解決しようとする課題】
そして、この従来技術によれば、各パチンコ機に設ける整流回路等の電源回路の小型化が実現できコスト低減も可能となるパチンコ機遊技機島配電装置を提供することができていた。しかしながら、昨今、遊技機島に電源供給するための島電源のコストを低減するために島電源に接続する島電源分配器等を多数設けたりすることが多く、島電源の電源供給異常を迅速に把握可能な術の出現が望まれていた。
【０００３】
本発明は、このような従来の課題を解決するためになされたものであり、遊技機島に電源供給するための島電源の供給電源異常を検出して迅速に通知可能な島電源異常検出システムを提供することを目的とする。
【０００４】
【課題を解決するための手段】
上記目的を達成するために、本発明は、複数の遊技機が並設された遊技機島へ電源供給を行うための島電源と、この島電源からの供給電源を前記遊技機島を構成する個別の遊技機に分配する電源分配器と、島電源からの供給電源の電圧値を検出する電圧検出手段と、この電圧検出手段で検出された電圧値が異常値であるか否かを判定する異常判定手段と、この判定結果に応じて異常通知を行う異常通知手段と、を有するようにした。
【０００５】
この発明においては、電圧検出手段は島電源からの供給電源の電圧値を検出し、異常判定手段はこの電圧検出部で検出された電圧値が異常値であるか否かを判定し、異常通知手段はこの判定結果に応じて異常通知を行う。したがって、例えば島電源の供給電源の電圧が定格値から極端にずれた場合等は異常と判定し、これを迅速に通知することが可能になる。
【０００６】
この島電源異常検出システムにおいて、前記電源分配器に１台の遊技機から成る単島へ電源供給可能な供給線が設けられている構成とすることができる。また、　前記異常通知手段は、前記遊技機島側面の外部から見える位置に設けられた構成とすることもできる。
【０００７】
【発明の実施の形態】
以下、本発明の実施の形態を図面を参照しつつ説明する。
【０００８】
図１は遊技機３０００ａ〜３０００ｈ（例えばパチンコ遊技機）を並設して形成した遊技機島１の正面の模式的説明図である。各遊技機３０００ａ〜３０００ｈの左側には台間サンド１７００ａ〜１７００ｈが設けられている。この台間サンド１７００ａ〜１７００ｈは、プリペードカードを挿入して不図示の貸玉ボタンを操作することによって遊技機３０００ａ〜３０００ｈの上皿に貸玉を供給するように構成されている。なお、台間サンド１７００ａ〜１７００ｈには他の種々の機能を設けるようにしても良い。
【０００９】
各遊技機３０００ａ〜３０００ｈの上方には横方向に長い正面視長方形状のランプ板１６００が設けられている。そして、このランプ板１６００上の各遊技機３０００ａ〜３０００ｈの対応する位置には、呼出ランプ１５００ａ〜１５００ｈが備え付けられている。呼出ランプ１５００ａ〜１５００ｈは対応する遊技機３０００ａ〜３０００ｈが所定遊技状態になると特殊な発光態様で発光演出したり、対応する遊技機３０００ａ〜３０００ｈの遊技データ（大当り回数、スタート回数等）を表示したりする。
【００１０】
そして、遊技機島１の左側面の上部にはホールスタッフが容易に視認可能に後に説明する異常通知部１４０が取り付けられている。この異常通知部１４０は例えばランプやＬＥＤ等の発光デバイスで実現することができるが、音声情報等を出力するような他のデバイス等でも実現できる。
【００１１】
図２は電源供給系とその制御系の構成図である。ＡＣ１００（Ｖ）の電源が供給された島電源１００は、遊技機島１に向けて２４（Ｖ）の電源を供給する。この島電源１００からの供給電源は島電源分配器１１０によって各遊技機３０００ａ〜３０００ｈや各台間サンド１７００ａ〜１７００ｎに対して分配供給される。また、島電源分配器１１０は遊技機１台から成る単島（子島）へ電源供給可能な供給線１１２が接続されている。したがって、単島を供給線１１２に接続することによって単島（子島）の電源も確保可能となる。なお、遊技機島１を構成する遊技機台数に応じて島電源１００や島電源分配器１１０の数を適宜変更することもできる。
【００１２】
また、電圧検出部１２０は、島電源１００から供給電源の電圧値を検出し、検出した電圧値を制御部１３０に送る。制御部１３０はこの電圧値を参照して島電源１００の供給電源が異常であるか正常であるかを判定し、異常であると判定した場合には異常通知部１４０を起動制御してホールスタッフ等が分かるような態様例えば発光や音声出力等で異常通知を行わせる。
【００１３】
さらに、制御部１３０には、通常、図示しない配線で各遊技機３０００ａ〜３０００ｈからの各種の遊技データを受信して遊技機別に遊技データを管理しているホールコンピュータ（集中管理装置）１０００が接続されている。そして、制御部１３０は、供給電源異常を把握すると、異常事態の発生情報をホールコンピュータ１０００に通知する。すると、これを受信したホールコンピュータ１０００はその表示画面に異常事態発生メッセージを表示したり異常事態発生を通知する音声出力を行ったりして、ホールコンピュータ１０００のオペレータに電源供給異常の発生を通知可能に構成されている。
【００１４】
（制御部１３０の動作）
図３を参照して制御部１３０の動作を詳細に説明する。まず、ステップＳ３００において、電圧検出部１２０が検出した電圧値が２４（Ｖ）の例えば±１０（％）を超えたか否かを判定する。超えていないと判定した場合（Ｎｏ）には動作を終える一方、超えたと判定した場合（Ｙｅｓ）にはステップＳ３１０に移行する。
【００１５】
ステップＳ３１０においては、電圧値が異常になったと判定されたので、異常通知部１４０を起動して、島電源１００の供給電源に異常が発生した旨を通知する。これによって、ホールスタッフ等は島電源１００の供給電源に異常が発生したことを迅速に把握し、所要の対策を講じることができるようになる。
【００１６】
したがって、本発明の実施の形態によれば、電圧検出部１２０は島電源１００からの供給電源の電圧値を検出し、制御部１３０はこの電圧検出部１２０で検出された電圧値が異常値であるか否かを判定し、この判定結果に応じて異常通知部１４０を起動して異常通知を行う。したがって、例えば島電源１００の供給電源の電圧が定格値から極端にずれた場合等は異常と判定し、これを迅速に通知することが可能になる。
【００１７】
また、異常通知部１４０は遊技機島１側面の外部から見える位置に設けられているので、遊技者中の遊技者には視認しにくくホールスタッフ等に視認しやすく状態で異常通知が行える。さらに、ホールコンピュータ１０００のオペレータも電源供給異常を把握することができるので、仮にホールスタッフの視認ミスがあっても、オペレータがインカム装置等によってホールスタッフに異常事態の発生を通知することができる。
【００１８】
なお、図２の制御部１３０はゲートアレイ化したハードウエアで実現することもできるし、ＣＰＵがＲＯＭ（記録媒体）に記録したプログラムを実行することによっても実現することができる。また、このようなプログラムを記録する記録媒体はＲＯＭ等の半導体デバイスに限られず、ＤＶＤＲＯＭ、ＣＤＲＯＭ等の光記録媒体、フレキシブルディスク等の磁気記録媒体等のデジタルコンテンツの書き込み及び読出しが可能な各種の記録媒体が挙げられる。
【００１９】
以上本発明の実施の形態について説明したが、本発明の要旨を逸脱しない範囲内で上記実施形態に種々の変形や変更を施すことが可能となる。例えば、本実施形態では１個の島電源１００と１個の島電源分配器１１０によって遊技機島１を構成する各遊技機３０００ａ〜３０００ｈや台間サンド１７００ａ〜１７００ｈに電源供給を行う例で説明したが、この島電源１００や島電源分配器１１０の数は適宜増加することができる。
【００２０】
なお、以上の説明では、遊技機としてパチンコ機を例にとり説明してきたが、パチスロ機等の他の遊技機を並設させて成る遊技機島に対しても本発明を適用することができることはいうまでもない。
【発明の効果】
以上説明してきたように、本発明によれば、遊技機島に電源供給するための島電源の供給電源異常を検出して迅速に通知可能とすることができるという効果が得られる。
【図面の簡単な説明】
【図１】遊技機島１の正面の模式的説明図である。
【図２】制御系のブロック図である。
【図３】制御部１３０の動作を説明するためのフローチャートである。
【符号の説明】
１　遊技機島
１００　島電源
１１０　島電源分配器
１１２　供給線
１２０　電圧検出部
１３０　制御部
１４０　異常通知部
１７００　台間サンド
１０００　ホールコンピュータ
３０００　遊技機
【図１】
2004065495.tif 000003
【図２】
2004065495.tif 000004
【図３】
2004065495.tif 000005